(57)【要約】【課題】  太陽光発電システムに組み込まれている感電防止回路を利用することにより、システム全体の設置コストを低減できるとともに、不具合が生じている太陽電池モジュールを容易且つ的確に特定することができる、太陽光発電システムの不具合検知回路を提供する。【解決手段】  複数の太陽電池モジュールＭ１、Ｍ２、Ｍ３の各短絡電路７を短絡させた状態で、正極側出力電路２Ａと負極側出力電路２Ｂ間を連絡する可変負荷回路１４に所定値の電流を流すと、これらのモジュールのうち、短絡電流値Ｉｓ３が前記所定値以下である太陽電池モジュールＭ３では、その短絡電路７を流れる電流が消失する。この電流の消失は検知回路１１で検知され、短絡電流値がＩｓ３以下に低下している太陽電池モジュールＭ３が特定される。【選択図】  図９
2019041515.tif 000002
【特許請求の範囲】
【請求項１】
直列接続された複数の太陽電池モジュールが、正極側出力電路及び負極側出力電路を介して外部負荷と接続され、
前記それぞれの太陽電池モジュールの正極端子と負極端子間を連絡する短絡電路と、前記ぞれぞれの短絡電路に、対応する太陽電池モジュールの正極端子にアノードが、負極端子にカソードが繋がるように組み込まれ、ゲートが、当該太陽電池モジュールの定格開放電圧より高いツェナー電圧を有するツェナーダイオードを介して当該正極端子と繋がれているサイリスタと、前記正極側出力電路と負極側出力電路間に組み込まれ、全てのツェナーダイオードのツェナー電圧の総和を超える電圧のパルス電流を発生することにより、それぞれのサイリスタを点弧し、各短絡電路を一斉に導通させるパルス発生回路と、前記正極側出力電路と負極側出力電路間を短絡して各サイリスタを消弧し、前記各短絡電路を一斉に非導通状態に復帰させるリセット回路とを含む感電防止回路を備えた太陽光発電システムにおいて、
前記それぞれの太陽電池モジュールの短絡電路に流れる電流の有無を検知する検知回路と、前記正極側出力電路と負極側出力電路間を連絡する可変負荷回路を有することを特徴とする太陽光発電システムの不具合検知回路。
【請求項２】
可変負荷回路の負荷を制御して当該可変負荷回路を流れる電流を段階的に増加させ、各段階の電流値毎に、それぞれの太陽電池モジュールの短絡電路の電流の有無の情報を検知回路から取得して、太陽電池モジュール毎に不具合の程度を段階的に識別判定する不具合判定回路をさらに備えたことを特徴とする請求項１に記載の太陽光発電システムの不具合検知回路。
【発明の詳細な説明】
【技術分野】
【０００１】
本発明は、システムの中に組み込まれている感電防止回路を利用することにより、不具合が生じている太陽電池モジュールを容易に検知できるようにした、太陽光発電システムの不具合検知回路に関する。
【背景技術】
【０００２】
長期にわたって稼働している太陽光発電システムでは、太陽電池モジュールに故障や経年劣化等の不具合が発生して発電が不能になったり、発電出力が低下する可能性があり、一部の太陽電池モジュールの不具合によって、システム全体の発電効率が低下してしまう問題がある。
【０００３】
そこで、従来では、このようなシステムの出力低下を調べるために、特許文献１に記載されているように、システム全体の電流・電圧特性を測定する方法や、特許文献２に記載されているように、システムを構成している太陽電池モジュールを一枚一枚個別に電流・電圧特性を測定する方法や、特許文献３に記載されているように、太陽電池モジュールの発熱状態を赤外線カメラで遠隔監視する方法等が提案されている。
【０００４】
一方、近年では、太陽光発電システムに使用される個々の太陽電池モジュールの性能が向上して高出力のものが製造されているため、太陽光発電システムの設置場所で火災が発生した場合に、発電している太陽電池モジュールへの放水から人体に感電する危険性が高まっている。そこで、本発明者らは、発電中の太陽電池モジュールからの感電を回避するために、特許文献４に記載されているような感電防止回路を組み込んだ太陽光発電システムを提案している。
【先行技術文献】
【特許文献】
【０００５】
【特許文献１】特開平８−６４６５３号公報
【特許文献２】特開２００７−３１１４８７号公報
【特許文献３】特開２０１１−１４６４７２号公報
【特許文献４】特許第６０６１２６０号公報
【発明の概要】
【発明が解決しようとする課題】
【０００６】
前述した特許文献４に記載されている感電防止回路を組み込んだ太陽光発電システムにおいては、システムの不具合を検知するために、特許文献１乃至特許文献３に記載されているような、従来技術をシステムに取り入れると、システム全体の構築コストが高くなってしまう問題があった。
【０００７】
さらに、特許文献１に記載されているものは、不具合のある太陽電池モジュールをシステム全体の電流・電圧特性から特定することができない問題があり、また、特許文献２に記載されているものは、個々の太陽電池モジュール毎の詳細な測定や不具合箇所の特定は可能となるものの、診断作業には膨大な労力と時間を必要とする問題があった。
【０００８】
また、特許文献３に記載されているような、太陽電池モジュールの発熱状態を赤外線カメラで遠隔監視するものは、太陽電池モジュール表面が日射等で高温になっている場合、不具合を生じている太陽電池モジュールの特定が難しくなる問題があった。
【０００９】
そこで、本発明は、前述したような従来技術における問題を解消し、太陽光発電システムに組み込まれている感電防止回路を利用することにより、システム全体の設置コストを低減できるとともに、不具合が生じている太陽電池モジュールを容易且つ的確に特定することができる、太陽光発電システムの不具合検知回路を提供することを目的とする。
【課題を解決するための手段】
【００１０】
前記目的のために提供される、本発明の太陽光発電システムの不具合検知回路は、直列接続された複数の太陽電池モジュールが、正極側出力電路及び負極側出力電路を介して外部負荷と接続され、前記それぞれの太陽電池モジュールの正極端子と負極端子間を連絡する短絡電路と、前記ぞれぞれの短絡電路に、対応する太陽電池モジュールの正極端子にアノードが、負極端子にカソードが繋がるように組み込まれ、ゲートが、当該太陽電池モジュールの定格開放電圧より高いツェナー電圧を有するツェナーダイオードを介して当該正極端子と繋がれているサイリスタと、前記正極側出力電路と負極側出力電路間に組み込まれ、全てのツェナーダイオードのツェナー電圧の総和を超える電圧のパルス電流を発生することにより、それぞれのサイリスタを点弧し、各短絡電路を一斉に導通させるパルス発生回路と、前記正極側出力電路と負極側出力電路間を短絡して各サイリスタを消弧し、前記各短絡電路を一斉に非導通状態に復帰させるリセット回路とを含む感電防止回路を備えた太陽光発電システムにおいて、前記それぞれの太陽電池モジュールの短絡電路に流れる電流の有無を検知する検知回路と、前記正極側出力電路と負極側出力電路間を連絡する可変負荷回路を有することを特徴としている。
【００１１】
可変負荷回路の負荷を制御して当該可変負荷回路を流れる電流を段階的に増加させ、各段階の電流値毎に、それぞれの太陽電池モジュールの短絡電路の電流の有無の情報を検知回路から取得して、太陽電池モジュール毎に不具合の程度を段階的に識別判定する不具合判定回路をさらに備えていることが望ましい。
【発明の効果】
【００１２】
請求項１に記載された発明によれば、太陽光発電システムの設置場所での火災における消防活動時の放水作業を安全に行うためにシステムに設けられる感電防止回路の回路構成を巧みに利用することにより、不具合検知回路の回路構成を簡素化でき、システム全体の設置コストの低減を図ることができる。
【００１３】
また、不具合の生じている太陽電池モジュールを容易に特定することができるとともに、可変負荷回路に設定した設定電流値から当該太陽モジュールの不具合の程度についても同時に把握することができる。
【００１４】
請求項２に記載された発明によれば、太陽光発電システム内の不具合のある太陽電池モジュールを、不具合の程度に応じて自動的に識別判定できるため、緊急に修理や交換を必要とする太陽電池モジュールを多数の太陽電池モジュールの中から容易に発見することができる。
【００１５】
また、太陽電池モジュールの不具合の程度を段階的に識別判定できるため、現在は不具合の程度が軽微で継続使用可能なものであっても、将来交換や修理が必要となる太陽電池モジュールの概略の交換時期や数を、将来のメンテナンスに備えて予め把握しておくことができる。
【図面の簡単な説明】
【００１６】
【図１】本発明の１実施形態を示す、不具合検知回路が組み込まれた太陽光発電システムの模式的な回路図である。
【図２】図１に示す太陽光発電システムにおいて、パルス発生回路がパルス電流を出力した状態を示す図である。
【図３】図１に示す太陽光発電システムにおいて、各太陽電池モジュールが短絡電路により短絡された状態を示す図である。
【図４】図１に示す太陽光発電システムにおいて、リセット回路により、正極側出力電路と負極側出力電路間を短絡した状態を示す図である。
【図５】サイリスタをＰＮＰ型トランジスタとＮＰＮ型トランジスタで置換した等価回路を示す図である。
【図６】図１に示す太陽光発電システムの太陽電池モジュールの数を３つの太陽電池モジュールＭ１、Ｍ２、Ｍ３に簡略化した図である。
【図７】図６に示す太陽光発電システムにおける電流電圧特性を示す図である。
【図８】図６に示す太陽光発電システムにおける、各太陽電池モジュールが短絡電路により短絡された状態を示す図である。
【図９】図６に示す太陽光発電システムにおける、可変負荷回路の設定電流が太陽電池モジュールＭ３の短絡電流Ｉｓ３に達した場合の電流の流れを示す図である。
【図１０】図６に示す太陽光発電システムにおける、可変負荷回路の設定電流が太陽電池モジュールＭ２の短絡電流Ｉｓ２に達した場合の電流の流れを示す図である。
【図１１】不具合判定回路の動作を説明するフロー図である。
【発明を実施するための形態】
【００１７】
以下、図面に基づいて本発明の実施形態を説明する。図１は、本発明の不具合検知回路が組み込まれた太陽光発電システムの模式的な回路図であって、このシステムは、前述の特許文献４（特許第６０６１２６０号公報）に記載されている感電防止回路を備えたものである。
【００１８】
同図に示す太陽光発電システム１は、直列に接続されたｎ個の太陽電池モジュールＭ１、Ｍ２、・・・Ｍｎからなる単一のストリング構成であり、これらの太陽電池モジュールＭ１、Ｍ２、・・・Ｍｎのストリングの正極側と負極側はそれぞれ、正極側出力電路２Ａと負極側出力電路２Ｂを介して、パワーコンディショナ等の外部負荷３に接続されている。
【００１９】
また、同図に示すように、正極側出力電路２Ａと負極側出力電路２Ｂには、直流開閉器４が組み込まれている。前記直流開閉器４は、正極側出力電路２Ａと負極側出力電路２Ｂをそれぞれ開閉する一対の開閉スイッチ４Ａ、４Ｂを有している。
【００２０】
これらの開閉スイッチ４Ａ、４Ｂは、互いに連係して同時にＯＮ／ＯＦＦ動作を行うように構成されている。また、正極側出力電路２Ａ側には、外部負荷３と開閉スイッチ４Ａ間に、逆流防止ダイオード５が組み込まれている。
【００２１】
太陽電池モジュールＭ１、Ｍ２、・・・Ｍｎのそれぞれの正極端子Ｐ１と負極端子Ｐ２の間には、バイパスダイオードＤが接続されている。なお、以下の説明においては、これらの太陽電池モジュールＭ１、Ｍ２、・・・Ｍｎの１つを太陽電池モジュールＭｉと表記する。
【００２２】
それぞれの太陽電池モジュールＭｉには短絡回路６が付設されている。これらの短絡回路６は太陽電池モジュールＭｉの正極端子Ｐ１と負極端子Ｐ２間を連絡する短絡電路７、サイリスタ８、ツェナーダイオード９、抵抗素子１０から構成されている。
【００２３】
サイリスタ８は、そのアノードが太陽電池モジュールＭｉの正極端子Ｐ１に、カソードが負極端子Ｐ２に繋がるように短絡電路７に組み込まれている。また、そのゲートは当該太陽電池モジュールＭｉの正極端子Ｐ１にツェナーダイオード９を介して接続されているとともに、抵抗素子１０を介して負極端子Ｐ２に接続されている。
【００２４】
ツェナーダイオード９は、ツェナー電圧Ｖｚが太陽電池モジュールＭｉの定格開放電圧Ｖｍより高いものを用いている。
【００２５】
また、正極側出力電路２Ａと負極側出力電路２Ｂ間には、各太陽電池モジュールＭｉの短絡回路６のサイリスタ８を点弧にして短絡電路７を導通させるためのパルス発生回路１２と、当該サイリスタ８を消弧して短絡電路７を非導通状態に復帰させるためのリセット回路が組み込まれている。なお、本実施形態においては、前記リセット回路としてリセットスイッチ１３を用いている。
【００２６】
感電防止回路は、前述した各太陽電池モジュールＭｉに付設されている短絡回路６と、正極側出力電路２Ａと負極側出力電路２Ｂ間に組み込まれたパルス発生回路１２及びリセット回路としてのリセットスイッチ１３から構成されている。
【００２７】
また、各太陽電池モジュールＭｉの短絡電路７にはそれぞれ、検知回路１１が設けられているとともに、正極側出力電路２Ａと負極側出力電路２Ｂ間には、可変負荷回路１４が組み込まれている。  これらの検知回路１１と可変負荷回路１４は、本発明における不具合検知回路を構成している。
【００２８】
それぞれの検知回路１１は、電流センサとしての機能を果たすものであり、より具体的には、短絡電路７に流れる電流の消失を検知する目的で設けられている。また、可変負荷回路１４は、ここを流れる電流が設定した電流値となるように負荷抵抗を可変に制御する機能を有する回路である。なお、可変負荷回路１４は、太陽光発電システム１の通常稼働時には非導通状態になっている。
【００２９】
図１は、太陽光発電システム１の通常稼働状態を示している。この状態においては、リセットスイッチ１３はＯＦＦ、直流開閉器４の開閉スイッチ４Ａ、４Ｂは両方ともにＯＮとなっていて、太陽電池モジュールＭ１、Ｍ２、・・・Ｍｎの出力電流Ｉは外部負荷３に供給されている。
【００３０】
一方、太陽光発電システム１の設置場所で火災が発生した場合には、消火放水を行う前に、図２に示すように、直流開閉器４の２つの開閉スイッチ４Ａ、４ＢをＯＦＦにして、これらの太陽電池モジュールＭ１、Ｍ２、・・・Ｍｎから外部負荷３へ供給される電流を遮断した後、パルス発生回路１２により、パルス電流Ｉｄを発生させて、各短絡回路６に供給する。
【００３１】
その結果、各短絡回路６のツェナーダイオード９は導通状態となり、それぞれのサイリスタ８は、ツェナーダイオード９を通過したゲート電流Ｉｇがゲートに流入して点弧されてアノードとカソード間が導通状態となる。
【００３２】
なお、パルス発生回路１２の出力電圧（パルス電圧）をＶｐ、前記それぞれのツェナーダイオード９のツェナー電圧Vzとすると、Ｖｐ＞ｎＶｚの関係に設定されている。ここでｎは太陽電池モジュールの数である。
【００３３】
そうすると、それぞれの太陽電池モジュールＭｉの正極端子Ｐ１から出力される電流は、図３に示すように、短絡電流Iｓとして短絡電路７を通って負極端子Ｐ２へ流れるため、放水による太陽電池モジュールＭｉから外部への漏電が回避され、感電事故を防ぐことができる。
【００３４】
消火活動終了後、図４に示すようにリセットスイッチ１３をＯＮに切り換えると、直列に接続されている太陽電池モジュールＭ１、Ｍ２、・・・Ｍｎからなるストリングの正極側と負極側は前記リセットスイッチ１３で短絡される。
【００３５】
その結果、各太陽電池モジュールＭｉを通して出力される電流は、当該リセットスイッチ１３を通過する短絡電流Ｉｓとして循環し、図３に示す各短絡電路７を流れる短絡電流Ｉｓは消失するため、各短絡回路６のサイリスタ８は消弧されて非導通状態となる。
【００３６】
リセットスイッチ１３を再びＯＦＦに戻した後、直流開閉器４の開閉スイッチ４Ａ、４ＢをＯＮにすることで、太陽光発電システム１は、図１に示す通常稼働状態に復帰する。なお、ここで各短絡回路６中に用いられているサイリスタ８は、図５に示すように、ＰＮＰ型トランジスタ８ＡとＮＰＮ型トランジスタ８Ｂを組み合わせた等価回路によって置換可能であり、特許請求の範囲中に記載している「サイリスタ」という用語は、同図に示す等価回路も含むものとする。
【００３７】
次に、太陽光発電システム１における不具合検知回路の動作について説明する。ここでは、説明を簡略化するために、本システムが図６に示すように太陽電池モジュールＭ１、Ｍ２、Ｍ３の３つのモジュールのみで構成されている場合について説明する。
【００３８】
これらの太陽電池モジュールＭ１、Ｍ２、Ｍ３が全て正常に稼働している場合には、このシステム全体の電流電圧特性は、図7に一点鎖線で示す曲線Ｘで表される。ここで、曲線Ｘ上の点Ｐｍａｘは最大出力動作点を示している。また、同図において、Ｖｏは、図６中の正極側出力電路２Ａと負極側出力電路２Ｂ間の開放電圧を示し、Ｉｓは、これらの電路２Ａ、２Ｂを短絡したときの短絡電流を示している。
【００３９】
一方、太陽電池モジュールＭ２と太陽電池モジュールＭ３に何らかの不具合が生じてこれらの発電出力が低下している場合の電流電圧特性は、図７の曲線Ｙで表される。なお、この曲線Ｙは、太陽電池モジュールＭ２の発電出力よりも太陽電池モジュールＭ３の発電出力の方がさらに低下している場合を表している。
【００４０】
ここで、システムの開放電圧をＶｏ、太陽電池モジュールＭ１、Ｍ２、Ｍ３の個別の開放電圧をそれぞれＶｏ１、Ｖｏ２、Ｖｏ３とすると、Ｖｏ＝Ｖｏ１＋Ｖｏ２＋Ｖｏ３となっている。
【００４１】
曲線Ｙ上において、図６に示す外部負荷３へ出力される電流Ｉが０から次第に増加し、これが発電出力が最も低下している太陽電池モジュールＭ３の最大出力電流である短絡電流値Ｉｓ３に近づくと、その出力電圧は急激に低下するため、システム全体の出力電圧もＶｏ１＋Ｖｏ２付近まで低下する。
【００４２】
そして、外部負荷３に出力される電流Ｉが当該電流値Ｉｓ３からさらに増加すると、太陽電池モジュールＭ３は短絡電流Ｉｓ３を超える電流は出力できないため、残りの太陽電池モジュールＭ１、Ｍ２により供給される差分の電流（Ｉ−Ｉｓ３）は、太陽電池モジュールＭ３に並列接続されているバイパスダイオードＤを通過して流れる。
【００４３】
外部負荷３へ出力される電流Ｉがさらに増加し、太陽電池モジュールＭ２の短絡電流値Ｉｓ２に近づくと、太陽電池モジュールＭ２の出力電圧も急激に低下し、システム全体の出力電圧はＶｏ１付近まで低下する。その後、電流Ｉが当該短絡電流値Ｉｓ２よりさらに増加すると、太陽電池モジュールＭ２に並列接続されているバイパスダイオードＤにも差分の電流（Ｉ−Ｉｓ２）が流れるようになる。
【００４４】
そして、最終的に外部負荷が短絡状態になると、システム全体の短絡電流値Ｉｓは、正常に稼働している太陽電池モジュールＭ１の短絡電流値Ｉｓ１に一致する。このような理由により、システム内に不具合のある太陽電池モジュールＭ２、Ｍ３が存在すると、電流電圧特性は、図７の曲線Ｙのように、２つの段差を有する階段状になる。
【００４５】
次に、図６に示す３つの太陽電池モジュールＭ１、Ｍ２、Ｍ３の中から不具合のモジュールを検知する場合には、先に説明した火災発生時の場合と同様に、直流開閉器４の２つの開閉スイッチ４Ａ、４ＢをＯＦＦにした後、パルス発生回路１２により、パルス電流を発生させて、各短絡回路６のサイリスタ８を導通状態にし、図８に示すように、太陽電池モジュールＭ１、Ｍ２、Ｍ３の出力電流がそれぞれ対応する短絡電路７を循環する状態にする。
【００４６】
このとき、各太陽電池モジュールＭ１、Ｍ２、Ｍ３は短絡状態なので、各短絡電路７にはそれぞれ対応する短絡電流Ｉｓ１、Ｉｓ２、Ｉｓ３が流れる。なお、可変負荷回路１４はこのとき非導通状態に設定してある。
【００４７】
次に、この状態から、可変負荷回路１４を流れる電流を段階的に増加させていく。図９は可変負荷回路１４を流れる電流を、最も発電出力が低下している太陽電池モジュールＭ３の短絡電流Ｉｓ３まで増加したときの電流の流れを示している。
【００４８】
このとき、太陽電池モジュールＭ３が出力する電流Ｉｓ３は、可変負荷回路１４側へ全て流れるから、その短絡回路６の短絡電路７を流れる電流は消失してサイリスタ８は消弧される。このとき、当該短絡電路７に組み込まれている検出回路１１によって電流の消失が検知される。
【００４９】
一方、太陽電池モジュールＭ１の短絡電流はＩｓ１であり、その短絡回路６の短絡電路７へは、可変負荷回路１４側へ流れる電流Ｉｓ３との差分の電流（Ｉｓ１−Ｉｓ３）が流れ、そのサイリスタ８は導通状態に保持されている。
また、太陽電池モジュールＭ２の短絡電流はＩｓ２であり、その短絡回路６の短絡電路７へは差分の電流（Ｉｓ２−Ｉｓ３)が流れるから、そのサイリスタ８も導通状態に保持されている。
【００５０】
次に、図１０は、可変負荷回路１４を流れる電流がさらに、太陽電池モジュールＭ２の短絡電流値Ｉｓ２まで増加したときの電流の流れを示している。このとき、太陽電池モジュールＭ２が出力する電流Ｉｓ２は、可変負荷回路１４側へ全て流れるから、その短絡回路６の短絡電路７を流れる電流は消失してそのサイリスタ８は消弧される。このとき、当該短絡電路７に組み込まれている検出回路１１によって電流の消失が検知される。
【００５１】
太陽電池モジュールＭ１の出力する短絡電流はＩｓ１であるため、その短絡回路６の短絡電路７には、可変負荷回路１４側へ流れる電流Ｉｓ２との差分の電流（Ｉｓ１−Ｉｓ２）が流れ、そのサイリスタ８はなお導通状態に保持されている。
【００５２】
一方、太陽電池モジュールＭ３の出力する短絡電流はＩｓ３であるため、可変負荷回路１４側へ流れる電流Ｉｓ２との差分の電流（Ｉｓ２−Ｉｓ３)が当該モジュールＭ３に並列接続されているバイパスダイオードＤを流れる。
【００５３】
なお、本実施形態においては、太陽電池モジュールＭ１、Ｍ２、Ｍ３のそれぞれの短絡回路６に組み込んである検知回路１１は、短絡電路７の流れる電流を検知する電流検知素子と、当該素子の検知信号を反転して出力する回路から構成されており、短絡電路７の電流が消失したときに信号が出力される。
【００５４】
不具合のあるモジュールは、例えば、これらの太陽電池モジュールＭ１、Ｍ２、Ｍ３の筐体外面の目視可能な位置に、不具合チェック用のＬＥＤ（発光ダイオード）を取り付けておき、検知回路１１が出力する信号で当該ＬＥＤを点灯させることにより、これを目視確認して見つけることができる。
【００５５】
なお、検知回路１１には、短絡電路７に電流が流れると信号が出力されるものを用いてもよい。その場合には、不具合チェック用のＬＥＤが消灯していることを目視確認することによって、不具合のあるモジュールを見つけることができる。
【００５６】
しかしながら、図１に示す太陽光発電システム１に用いられている太陽電池モジュールＭ１〜Ｍｎの数が多くなると、それぞれの太陽電池モジュールのＬＥＤの発光状態を現場で一つずつ目視確認する作業は困難となる。
【００５７】
そこで、太陽電池モジュール数が多い場合には、不具合検知回路が、不具合のある太陽電池モジュールを自動的に識別判定する機能を有していることが望ましい。この機能は、前述した不具合検知回路の一部に不具合判定回路を組み込むことで実現できる。
【００５８】
この不具合判定回路は、詳細な回路構成の記載や図示は省略するが、不具合判定用の専用プログラムを実行可能なコンピュータ、もしくは専用に設計された回路ユニットによって構成されていて、各検知回路１１からの出力信号を受け取るとともに、前述した可変負荷回路１４、直流開閉器４の開閉スイッチ４Ａ、４Ｂ、パルス発生回路１２、及びリセットスイッチ１１を、周知の有線又は無線による通信手段を介して制御する機能を有している。
【００５９】
前記不具合判定回路は、可変負荷回路１４に流れる電流値Ｉを初期値Ｉｓ0から段階的δＩずつ増加させていき、各段階の電流値Ｉ毎に、それぞれの太陽電池モジュールＭｉについて、各短絡回路６の短絡電路７を流れる電流の有無についての情報を検知回路１１から取得して、太陽電池モジュールＭｉ毎に不具合の程度を段階的に識別判定する。
【００６０】
図１１は、不具合判定回路の動作を説明するフロー図であって、同図のＳＴＥＰ１に示すように、不具合判定回路を起動すると、最初に太陽電池モジュールＭ１〜Ｍｎの全ての短絡回路６を短絡状態にする。
【００６１】
すなわち、ＳＴＥＰ１においては、不具合判定回路によって、図２のように、直流開閉器４の２つの開閉スイッチ４Ａ、４ＢがＯＦＦに切り換えられた後、パルス発生回路１２からは、パルス電流Ｉｄが出力され、全ての短絡回路６に組み込まれているサイリスタ８が一斉に導通状態となる。なお、この時点では、可変負荷回路１４は非導通状態である。
【００６２】
次に、図１１のＳＴＥＰ２において、不具合判定回路は、可変負荷回路１４に流す電流Ｉを初期値Ｉｓ０に設定する。なお、前記初期値Ｉｓ０には、この値以下では直ちに太陽電池モジュールの修理や交換が必要と考えられる短絡電流値を設定しておけばよい。
【００６３】
次に、ＳＴＥＰ３では、可変負荷回路１４に前記電流値Ｉ（初期値はＩｓ０）を流したときに、検知回路１１により電流の消失が検知された太陽電池モジュールＭｉを全て抽出する。この際、不具合判定回路のメモリには、前記電流値Ｉと、当該電流値Ｉにおいて抽出された太陽電池モジュールＭｉの識別情報とを対応させて記憶する。
【００６４】
次に、ＳＴＥＰ４で、不具合判定回路は、現時点で可変負荷回路１４に設定されている電流値Ｉが、正常な太陽電池モジュールの短絡電流値（定格短絡電流値）Ｉｓｎ未満であるか否かを判断し、Ｉｓｎ未満であれば、ＳＴＥＰ５に移行し、ここで、可変負荷回路１４を流れる電流値Ｉを所定の増分δＩだけ増加させた後、ＳＴＥＰ３以降の処理を繰り返し実行する。
【００６５】
そして、ＳＴＥＰ４において、不具合判定回路が可変負荷回路１４に流れる電流値Ｉが前記電流値Ｉｓｎ以上であると判断した場合には、ＳＴＥＰ６に移行し、システムを図１に示す通常の稼働状態に復帰させた後、処理を終了する。なお、ＳＴＥＰ６においては、不具合判定回路は、可変負荷回路１４を非導通状態に戻した後に直流開閉器４の開閉スイッチ４Ａ、４ＢをＯＮにする。
【００６６】
前述したＳＴＥＰ３において、不具合判定回路が取得した情報は、例えば、不具合判定回路に接続したディスプレイ等の表示装置に、太陽電池モジュールＭｉ毎にそれぞれの不具合の程度を段階的に、例えば色分け等で識別表示することで、システム全体の太陽電池モジュールＭ１〜Ｍｎの中で、緊急に交換やメンテナンスが必要なモジュールを容易且つ的確に把握することができる。
【００６７】
なお、不具合判定回路により、太陽電池モジュールＭ１〜Ｍｎの中から交換やメンテナンスが緊急に必要な太陽電池モジュールのみ抽出すればよい場合には、前述した図１１のＳＴＥＰ４とＳＴＥＰ５の処理は省略でき、不具合判定回路を簡略化することができる。
【産業上の利用可能性】
【００６８】
本発明の太陽光発電システムの不具合検知回路は、消火活動時等の感電防止対策として、太陽電池モジュールのそれぞれに短絡回路が設けられている太陽光発電システムにおいて利用可能である。
【符号の説明】
【００６９】
１       太陽光発電システム
２Ａ     正極側出力電路
２Ｂ     負極側出力電路
３       外部負荷
４       直流開閉器
４Ａ、４Ｂ  開閉スイッチ
５       逆流防止ダイオード
６       短絡回路
７       短絡電路
８        サイリスタ
９        ツェナーダイオード
１０        抵抗素子
１１        検知回路
１２        パルス発生回路
１３        リセットスイッチ（リセット回路）
１４        可変負荷回路
Ｄ         バイパスダイオード
Ｉ          出力電流
Ｉｄ         パルス電流
Ｉｇ         ゲート電流
Ｉｓ         短絡電流
Ｍ１、Ｍ２、Ｍ３、Ｍｉ、Ｍｎ  太陽電池モジュール
Ｐ１        正極端子
Ｐ２        負極端子
【図１】
2019041515.tif 000003
【図２】
2019041515.tif 000004
【図３】
2019041515.tif 000005
【図４】
2019041515.tif 000006
【図５】
2019041515.tif 000007
【図６】
2019041515.tif 000008
【図７】
2019041515.tif 000009
【図８】
2019041515.tif 000010
【図９】
2019041515.tif 000011
【図１０】
2019041515.tif 000012
【図１１】
2019041515.tif 000013